【手続補正書】
【提出日】平成26年9月18日(2014.9.18)
【手続補正１】
【補正対象書類名】明細書
【補正対象項目名】００３０
【補正方法】変更
【補正の内容】
【００３０】
請求項８に係る発明は、
導電性基体と、前記導電性基体上に配置され、金属酸化物粒子及び結着樹脂を含有し、膜厚が７μｍ以上である下引層と、前記下引層上に配置された感光層と、を有する電子写真感光体であって、最表面層として、下記一般式（I）及び（II）で表される反応性化合物から選択される少なくとも１種の反応性化合物の重合体を含む層を有する電子写真感光体と、
体積平均粒径が３μｍ以上５．５μｍ以下のトナーを含む現像剤を収容し、静電潜像を前記現像剤で現像してトナー像を形成する現像装置、および、
表面のダイナミック硬度が２９×１０９Ｎ／ｍ２以上３８×１０９Ｎ／ｍ２以下である中間転写体を有し、前記トナー像を前記中間転写体に１次転写し、前記中間転写体上の１次転写像を被転写媒体に２次転写する転写装置から選ばれる少なくとも１つと、
を備え、
画像形成装置に着脱し得るプロセスカートリッジ。
【手続補正２】
【補正対象書類名】明細書
【補正対象項目名】００３６
【補正方法】変更
【補正の内容】
【００３６】
請求項８に係る発明によれば、金属酸化物粒子及び結着樹脂を含有し、膜厚が７μｍ以上である下引層を有し、且つ最表面層として、下記一般式（I）及び下記（II）で表される反応性化合物から選択される少なくとも１種の反応性化合物の重合体を含む層を有する電子写真感光体と、体積平均粒径が３μｍ以上５．５μｍ以下のトナーを含む現像剤を収容し、静電潜像を前記現像剤で現像してトナー像を形成する現像装置と、または、表面のダイナミック硬度が２９×１０９Ｎ／ｍ２以上３８×１０９Ｎ／ｍ２以下である中間転写体と、を組み合わせない場合に比べ、電子写真感光体や中間転写体への付着物の発生が抑制され、黒点を発生しにくく、かつ、高温高湿環境下において、繰り返し画像形成したときの画質の低下が抑制されるプロセスカートリッジを提供できる。
【手続補正３】
【補正対象書類名】特許請求の範囲
【補正対象項目名】全文
【補正方法】変更
【補正の内容】
【特許請求の範囲】
【請求項１】
導電性基体と、前記導電性基体上に配置され、金属酸化物粒子及び結着樹脂を含有し、膜厚が７μｍ以上である下引層と、前記下引層上に配置された感光層と、を有する電子写真感光体であって、最表面層として、下記一般式（I）及び（II）で表される反応性化合物から選択される少なくとも１種の反応性化合物の重合体を含む層を有する電子写真感光体と、
前記電子写真感光体の表面を帯電させる帯電装置と、
帯電された前記電子写真感光体の表面を露光して該表面に静電潜像を形成する露光装置と、
体積平均粒径が３μｍ以上５．５μｍ以下のトナーを含む現像剤を収容し、前記静電潜像を前記現像剤で現像してトナー像を形成する現像装置と、
表面のダイナミック硬度が２９×１０９Ｎ／ｍ２以上３８×１０９Ｎ／ｍ２以下である中間転写体を有し、前記トナー像を前記中間転写体に１次転写し、前記中間転写体上の１次転写像を被転写媒体に２次転写する転写装置と、
を備える画像形成装置。
【化１】
2013044824.tif 000001
（一般式（I）中、Ｆは、電荷輸送性骨格を示す。Ｌは、アルキレン基、−Ｃ（＝Ｏ）−、−Ｎ（Ｒ）−、−Ｓ−、及び−Ｏ−からなる群より選択される２種以上を組み合わせてなる２価の連結基を示す。Ｒは、水素原子、アルキル基、アリール基、又はアラルキル基を示す。ｍは、１以上６以下の整数を示す。）
【化２】
2013044824.tif 000002
（一般式（II）中、Ｆは、電荷輸送性骨格を示す。Ｌ’は、アルキレン基、−Ｃ（＝Ｏ）−、−Ｎ（Ｒ）−、−Ｓ−、及び−Ｏ−からなる群より選択される２種以上を組み合わせてなる（ｎ＋１）価の連結基を示す。Ｒは、水素原子、アルキル基、アリール基、又はアラルキル基を示す。ｍ’は、１以上６以下の整数を示す。ｎは、２以上３以下の整数を示す。）
【請求項２】
前記一般式（I）で表される反応性化合物が、下記一般式（III）で表され、且つ下記一般式（III）中のＤが下記一般式（ＩV）で表される基を示す反応性化合物であり、
前記一般式（II）で表される反応性化合物が、下記一般式（III）で表され、且つ下記一般式（III）中のＤが下記一般式（V）で表される基を示す反応性化合物である請求項１に記載の画像形成装置。
【化３】
2013044824.tif 000003
（一般式（III）中、Ａｒ１〜Ａｒ４は、それぞれ独立に、置換若しくは未置換のアリール基を示す。Ａｒ５は、置換若しくは未置換のアリール基、又は置換若しくは未置換のアリーレン基を示す。ｃ１〜ｃ５は、それぞれ独立に、０以上２以下の整数を示す。但し、全てのｃ１〜ｃ５は、同時に０を示すことはない。ｋは、０又は１の整数を示す。）
【化４】
2013044824.tif 000004
（一般式（IV）中、Ｌは、アルキレン基、−Ｃ（＝Ｏ）−、−Ｎ（Ｒ）−、−Ｓ−、及び−Ｏ−からなる群より選択される２種以上を組み合わせてなる２価の連結基を示す。Ｒは、水素原子、アルキル基、アリール基、又はアラルキル基を示す。）
【化５】
2013044824.tif 000005
（一般式（V）中、Ｌ’は、アルキレン基、−Ｃ（＝Ｏ）−、−Ｎ（Ｒ）−、−Ｓ−、及び−Ｏ−からなる群より選択される２種以上を組み合わせてなる（ｎ＋１）価の連結基を示す。Ｒは、水素原子、アルキル基、アリール基、又はアラルキル基を示す。ｎは、２以上３以下の整数を示す。
【請求項３】
前記一般式（IV）で表される基が、下記一般式（VI）、又は下記一般式（VII）で表される基を示す請求項２に記載の画像形成装置。
【化６】
2013044824.tif 000006
（一般式（VI）及び（VII）中、Ｘ、及びＸ’は、２価の有機基を示す。ｐ、及びｐ’は、０又は１の整数を示す。）
【請求項４】
前記一般式（V）で表される基は、下記一般式（VIII）、又は下記一般式（IＸ）で表される基を示す請求項２又は３に記載の画像形成装置。
【化７】
2013044824.tif 000007
（一般式（VIII）及び（IＸ）中、Ｙ、及びＹ’は、２価の有機基を示す。ｑ、及びｑ’は、０、又は１の整数を示す。）
【請求項５】
前記最表面層が、樹脂粒子を含有する請求項１〜４のいずれか１項に記載の画像形成装置。
【請求項６】
前記樹脂粒子が、４フッ化エチレン樹脂、３フッ化塩化エチレン樹脂、６フッ化エチレ
ンプロピレン樹脂、フッ化ビニル樹脂、フッ化ビニリデン樹脂、２フッ化２塩化エチレン
樹脂、及びこれらの共重合体からなる群より選択される少なくとも１種の樹脂の粒子である請求項５に記載の画像形成装置。
【請求項７】
前記中間転写体が、ポリイミド樹脂とカーボンブラックとを含んで構成されている請求項１〜６のいずれか１項に記載の画像形成装置。
【請求項８】
導電性基体と、前記導電性基体上に配置され、金属酸化物粒子及び結着樹脂を含有し、膜厚が７μｍ以上である下引層と、前記下引層上に配置された感光層と、を有する電子写真感光体であって、最表面層として、下記一般式（I）及び（II）で表される反応性化合物から選択される少なくとも１種の反応性化合物の重合体を含む層を有する電子写真感光体と、
体積平均粒径が３μｍ以上５．５μｍ以下のトナーを含む現像剤を収容し、静電潜像を前記現像剤で現像してトナー像を形成する現像装置と、
表面のダイナミック硬度が３０．８×１０９Ｎ／ｍ２以上３６×１０９Ｎ／ｍ２以下である中間転写体を有し、前記トナー像を前記中間転写体に１次転写し、前記中間転写体上の１次転写像を被転写媒体に２次転写する転写装置と、
を備え、
画像形成装置に着脱し得るプロセスカートリッジ。
【化８】
2013044824.tif 000008
（一般式（I）中、Ｆは、電荷輸送性骨格を示す。Ｌは、アルキレン基、−Ｃ（＝Ｏ）−、−Ｎ（Ｒ）−、−Ｓ−、及び−Ｏ−からなる群より選択される２種以上を組み合わせてなる２価の連結基を示す。Ｒは、水素原子、アルキル基、アリール基、又はアラルキル基を示す。ｍは、１以上６以下の整数を示す。）
【化９】
2013044824.tif 000009
（一般式（II）中、Ｆは、電荷輸送性骨格を示す。Ｌ’は、アルキレン基、−Ｃ（＝Ｏ）−、−Ｎ（Ｒ）−、−Ｓ−、及び−Ｏ−からなる群より選択される２種以上を組み合わせてなる（ｎ＋１）価の連結基を示す。Ｒは、水素原子、アルキル基、アリール基、又はアラルキル基を示す。ｍ’は、１以上６以下の整数を示す。ｎは、２以上３以下の整数を示す。）